(57)【特許請求の範囲】
【請求項１】
無接点給電方式にて一次コイルを介して電力が供給される二次コイルモジュールであって、
筒状の筒状部、及び当該筒状部の軸方向一方側の端部の開口を閉じるように前記筒状部と一体成型された底部を有し、磁性材料からなるコアと、
前記筒状部の内側の収容空間に収容され、前記電力により充電される蓄電池と、
前記コアの外側であって、前記コアの前記底部の側に配置される巻線と、
を備え、
前記コアは、軟磁性の磁性材料を含む樹脂で構成され、
前記巻線は、前記コアの外周面における、前記底部の側において露出した状態で配置され、
前記収容空間には、前記蓄電池の充電を制御する蓄電制御回路が収容され、
前記蓄電制御回路は、前記巻線の一対の端部が電気的に接続される巻線接続部の一対の電極と前記蓄電池の一対の端子電極が電気的に接続される出力端子形成部の一対の出力端子とを有し、前記コアの外周面における、前記巻線が配置されていない領域に前記一対の電極と前記一対の出力端子とが露出した状態で配置される二次コイルモジュール。
【請求項２】
前記コアは、前記筒状部の軸方向他方側の端部が開口して構成され、前記軸方向他方側の端部が磁性材料からなる蓋部材で閉じられている請求項１に記載の二次コイルモジュール。
【請求項３】
前記巻線は前記筒状部を囲むように螺旋状に巻き回される請求項１又は２に記載の二次コイルモジュール。
【請求項４】
前記一対の電極と前記一対の出力端子とは、前記巻線接続部及び前記出力端子形成部の夫々を前記コアの前記底部と反対側で折り曲げられることにより前記コアの外周面に露出している請求項１から３のいずれか一項に記載の二次コイルモジュール。
【発明の詳細な説明】
【技術分野】
【０００１】
本発明は、無接点給電方式にて一次コイルを介して電力が供給される二次コイルモジュールに関する。
【背景技術】
【０００２】
従来、端末に内蔵される蓄電池に、端末と充電台とを端子で接続することなく給電する無接点給電（非接触給電）方式が利用されている。このような無接点給電方式として、例えば電磁誘導方式、電波方式、電磁界共鳴方式がある。電磁誘導方式では、端末側に二次コイルが備えられ、充電台側に一次コイルが備えられる。充電台から端末に給電する場合には、一次コイルと二次コイルとが対向するように充電台と端末とを配置する。この状態で、一次コイルに電流を供給して当該一次コイルに磁束を発生させ、当該磁束により二次コイルに電磁誘導による起電力を生じさせて蓄電池に給電する。このような電磁誘導方式に係る技術として例えば特許文献１に記載のものがある。
【０００３】
特許文献１に記載の２次電池モジュールは、２次電池、充電制御回路、及び制御基板がケース体に収容されて構成される。充電制御回路は、受電コイルと共振コンデンサとを備えて構成される。２次電池と受電コイルとは、フェライトシート及び緩衝体を介して対向して配置される。
【先行技術文献】
【特許文献】
【０００４】
【特許文献１】特開２０１３−１９６８８３号公報
【発明の概要】
【発明が解決しようとする課題】
【０００５】
特許文献１に記載の技術は、受電コイルと２次電池とが単一のケース体の中に収容され、フェライトシートと緩衝体を介して対向して配置される。特許文献１の図１に示されるように、フェライトシートはケース体の内壁面に対して空隙を有して構成される。このため、当該空隙において漏れ磁束が生じ、当該漏れ磁束に起因した交番磁界が２次電池まで到達した場合には、例えば２次電池が有する端子電極や金属製のケースにおいて渦電流が生じ、当該渦電流に起因して２次電池が発熱する可能性がある。
【０００６】
そこで、無接点給電方式にて蓄電池を充電する際に、蓄電池の発熱を抑制することができる二次コイルモジュールが求められる。
【課題を解決するための手段】
【０００７】
本発明に係る二次コイルモジュールの特徴構成は、無接点給電方式にて一次コイルを介して電力が供給される二次コイルモジュールであって、筒状の筒状部、及び当該筒状部の軸方向一方側の端部の開口を閉じるように前記筒状部と一体成型された底部を有し、磁性材料からなるコアと、前記筒状部の内側の収容空間に収容され、前記電力により充電される蓄電池と、前記コアの外側であって、前記コアの前記底部の側に配置される巻線と、を備え、前記コアは、軟磁性の磁性材料を含む樹脂で構成され、前記巻線は、前記コアの外周面における、前記底部の側において露出した状態で配置され、前記収容空間には、前記蓄電池の充電を制御する蓄電制御回路が収容され、前記蓄電制御回路は、前記巻線の一対の端部が電気的に接続される巻線接続部の一対の電極と前記蓄電池の一対の端子電極が電気的に接続される出力端子形成部の一対の出力端子とを有し、前記コアの外周面における、前記巻線が配置されていない領域に前記一対の電極と前記一対の出力端子とが露出した状態で配置される点にある。
【０００８】
このような特徴構成とすれば、コアにおける巻線が配置される側の部分である筒状部と底部との間に隙間を生じないようにすることができるので、コアによる一次コイルから生じた磁束の集磁効果を高めることが可能となる。したがって、一次コイルから二次コイルモジュールへの送電効果を高めることが可能となる。
【０００９】
また、前記隙間を生じないようにすることにより、一次コイルと巻線との間で生じる磁界に起因した漏れ磁束を低減することが可能となる。したがって、蓄電池の端子電極やケースが金属材料で形成されている場合であっても、前記漏れ磁束に起因した渦電流による電池の発熱を抑制することが可能となる。
【００１０】
また、このような構成とすれば、樹脂成形でコアを形成することにより、筒状部と底部との間に隙間を生じないようにすることが可能となる。
【００１１】
したがって、磁気特性の優れたコアを形成し易くすることができる。
【００１２】
また、収容空間には、蓄電池の充電を制御する蓄電制御回路も収容されるので、蓄電制御回路を磁界の暴露から保護することが可能となる。
【００１３】
したがって、磁界による蓄電制御回路の誤動作や損傷や劣化等の発生を抑制できる。
【００１４】
また、前記コアは、前記筒状部の軸方向他方側の端部が開口して構成され、前記軸方向他方側の端部が磁性材料からなる蓋部材で閉じられていると好適である。
【００１５】
このような構成とすれば、コアの筒状部の内側の空間（収容空間）を遮蔽することができるので、コアに内包される部品の損傷を抑制できる。
【００１６】
また、前記巻線は前記筒状部を囲むように螺旋状に巻き回されると好適である。
【００１７】
このような構成とすれば、一次コイルからの磁束を集磁したコアの周囲に巻線を巻き回すので、二次コイルモジュールに生じる起電力を大きくすることができる。
【００１８】
したがって、一次コイルから二次コイルモジュールへの送電効果を高めることが可能となる。
【図面の簡単な説明】
【００１９】
【図１】二次コイルモジュールを示す図である。
【図２】二次コイルモジュールの側面図である。
【図３】二次コイルモジュールの側面図である。
【図４】蓄電池の充電形態を示す図である。
【図５】蓄電池の発熱状態を示す図である。
【図６】その他の実施形態に係る二次コイルモジュールを示す図である。
【図７】その他の実施形態に係る二次コイルモジュールの蓄電池の充電形態を示す図である。
【発明を実施するための形態】
【００２０】
本発明に係る二次コイルモジュールについて説明する。二次コイルモジュールは、充電台側ユニットと端末側ユニットとを有して構成される無接点給電方式の充電システムのうち、端末側ユニットに設けられ、端末側ユニットに設けられる蓄電池を充電する際に、当該蓄電池の発熱を抑制可能に構成される。以下、本実施形態の二次コイルモジュール２０について説明する。
【００２１】
図１には二次コイルモジュール２０の分解斜視図が示され、図２には図１のｙ方向に沿って見た二次コイルモジュール２０の側面図が示され、図３には図１のｘ方向に沿って見た二次コイルモジュール２０の側面図が示される。また、図４には二次コイルモジュール２０に設けられる蓄電池３０を充電する際の形態が示される。
【００２２】
図１及び図４に示すように、二次コイルモジュール２０は、無接点給電方式にて金属製のケース３１を有する蓄電池３０を充電する電力が充電台側ユニットに設けられる一次コイル１を介して供給される。無接点充電方式とは、充電台側ユニットに設けられる一次コイルモジュール１０と端末側ユニットに設けられる二次コイルモジュール２０とを端子で接続することなく、充電台側ユニットに供給される交流電源からの電力を、充電台側ユニットに設けられた一次コイル１を介して、二次コイル２に伝達し、蓄電池３０を充電する方式である。一次コイル１と二次コイル２との電力の送受は電磁誘導により行われる。二次コイルモジュール２０にはこのような二次コイル２が備えられる。
【００２３】
本実施形態の二次コイルモジュール２０は、二次コイル２と、蓄電池３０と、蓄電制御回路４０が搭載された基板４１とを有して構成される。二次コイル２は、コア２１、巻線２２、蓋部材２３を備えて構成される。
【００２４】
コア２１は磁性材料からなる筒状部２４と底部２５とを有して構成される。筒状部２４は筒状に構成され、その内側を収容空間２６として蓄電池３０が収容される。底部２５は、筒状部２４の軸方向一方側の端部の開口を閉じるように筒状部２４と一体成型される。このため、筒状部２４の軸方向他方の側の端部は開口して形成され、筒状部２４と底部２５との間には隙間を有さずにコップ状に形成される。このようなコア２１は、軟磁性の磁性材料を含む樹脂で構成される。より具体的には、磁性体を含有した樹脂を用いて射出成形により成形される。このような軟磁性の磁性材料として、例えばＮｉ系軟磁性材やＭｎ系軟磁性材の粉体を用いることが可能である。また、樹脂材料としては、ポリフェニレンサルファイド（PPS: polyphenylenesulfide）樹脂、エポキシ樹脂、シリコン樹脂、ポリオキシメチレン（POM: polyoxymethylene）、環状ポリオレフィン（COP: cycloolefin polymers）樹脂、ポリスチレン樹脂、ＡＢＳ樹脂、ＡＳ樹脂、アクリル樹脂（PMMA）、ポリブチレンテレフタレート（PBT: polybutylene terephthalate）樹脂、液晶ポリマー（LCP）、フェノール樹脂、メラミン樹脂、尿素樹脂、不飽和ポリエステル樹脂、アルキド樹脂、ポリウレタン樹脂、ポリイミド樹脂、ポリエチレン樹脂、ポリプロピレン樹脂、ポリスチレン樹脂、ポリサルホン樹脂、ポリエーテルサルホン樹脂、ポリアリレート樹脂、芳香族ポリエーテルケトン等でも良い。これにより筒状部２４の径方向の厚さが１ｍｍ以下（好適には、０．３〜０．５ｍｍ程度の厚さ）のコア２１を形成することができる。
【００２５】
巻線２２は導電性材料で構成され、コア２１の外側であって、コア２１の底部２５の側に配置される。導電性材料は、例えばエナメル線が用いられる。本実施形態では、巻線２２は、このようなエナメル線をコア２１の筒状部２４を囲むように螺旋状に巻き回される。巻線２２は、エナメル線を筒状部２４の外周面に直接、複数回巻いても良いし、巻線２２を複数回巻いて空芯コイルを構成し、当該空芯コイルの径方向内側にコア２１を挿通して構成しても良い。いずれにしても、巻線２２がコア２１の底部２５の側に寄せて配置される。巻線２２の一対の端部（巻始めの端部及び巻き終わりの端部）は、コア２１の側面に設けられた後述する巻線接続部４２の一対の電極４２Ａ，４２Ｂに接続される。
【００２６】
蓋部材２３は、磁性材料で構成され、筒状部２４の軸方向他方側の端部を閉じる。蓋部材２３も、コア２１と同様に軟磁性樹脂で構成することが可能である。もちろん、例えばセラミック系フェライトやアモルファス系磁性体等のその他の材料で構成しても良い。蓋部材２３は、このような磁性材料を用いてシート状に構成される。筒状部２４の軸方向他方側とは、筒状部２４における軸方向両端部のうち、底部２５が形成されている側とは異なる側の端部である。蓋部材２３は、筒状部２４が有する開口部（底部２５が形成されていない側の端部）の形状に合わせて形成され、本実施形態では円板状のものが用いられる。このような蓋部材２３を、筒状部２４の端部に貼り付けてコア２１の開口部に蓋をすることが可能となる。この時、コア２１と蓋部材２３との間で隙間を無くすように磁性材を用いて形成された両面テープや、磁性材が含有される接着剤を用いて貼り合わされる。
【００２７】
蓄電池３０は、金属製のケース３１及び金属製の一対の端子電極３２（蓄電池３０が有する陽極端子及び陰極端子）が設けられる。金属製のケース３１とは、蓄電池３０を覆うものであり、金属が露出していても露出していなくても良い。形状は特に限定されるものではないが、蓄電池３０は、筒状部２４の収容空間２６に収容されるので、収容空間２６の形状に合わせた形状とする良い。収容空間２６に蓄電池３０を収容する際には、両面テープ８０を用いて、底部２５の収容空間２６を向く側の面に貼り付けると良い。このように蓄電池３０は、コア２１に内包して構成されるので、二次コイルモジュール２０を小型化することができる。このような蓄電池３０は、一次コイル１を介して供給される電力により充電され、無接点給電方式による充電対象となる例えばリチウムポリマー電池が相当する。
【００２８】
蓄電制御回路４０は、巻線２２に接続されて筒状部２４の収容空間２６に収容され、蓄電池３０の充電を制御する。巻線２２には、電磁誘導により電力が生じる。蓄電制御回路４０にはこの電力が伝達される。蓄電制御回路４０は、このような電力を、蓄電池３０を充電するのに適した所定の電圧値からなる直流電力に変換する。
【００２９】
このような蓄電制御回路４０は基板４１に実装される。基板４１は、本実施形態ではプリント基板を用いて構成される。基板４１には、フレキシブルプリント基板（FPC : Flexible printed circuits）を用いて形成された巻線接続部４２、蓄電池接続部４３、出力端子形成部４４が半田溶着される。これらの巻線接続部４２、蓄電池接続部４３、出力端子形成部４４と共に、基板４１は蓄電池３０と筒状部２４の内壁との間に設けられ、コア２１及び蓋部材２３により形成される柱状の空間、すなわち上述した収容空間２６内に配置される。
【００３０】
基板４１に実装される蓄電制御回路４０には、巻線接続部４２を介して電磁誘導により二次コイル２に生じる電力が伝達される。巻線接続部４２は、上述した巻線２２の一対の端部が接続される一対の電極４２Ａ，４２Ｂが形成される。巻線接続部４２は、基板４１の所定の位置で折り曲げられ、コア２１の表面（筒状部２４の外周面）に露出される。これにより、巻線接続部４２がコア２１の外側に導出される。
【００３１】
蓄電池接続部４３は、基板４１の所定の位置で折り曲げられて蓄電池３０の一対の端子電極３２の一方に接続される。また、図示はしないが、一対の端子電極３２の他方も、例えばフレキシブルプリント基板や導電テープ等を用いて基板４１に接続される。これにより、蓄電制御回路４０を介して二次コイル２に生じた電力を蓄電池３０に蓄電することが可能となる。
【００３２】
出力端子形成部４４は、コア２１の外側に露出するように、基板４１の所定の位置で折り曲げられる。出力端子形成部４４には、折り曲げられた状態で、コア２１の外周面において露出するように一対の出力端子７０が形成される。この一対の出力端子７０は、蓄電池接続部４３を介して蓄電池３０の一対の端子電極３２に接続され、蓄電池３０に充電された電力を出力することができる。これにより、蓄電池３０に充電された電力を容易に取り出すことが可能となる。
【００３３】
図４に示されるように、充電台側ユニットに設けられる一次コイルモジュール１０が、コアの円柱状部１１に巻線１２を巻いて形成された一次コイル１を有する場合には、一次コイル１に通電される、円柱状部１１の軸方向に沿って磁束が生じる。このため、当該磁束が二次コイル２の径方向内側を貫通するように二次コイルモジュール２０を配置すると、効率良く二次コイル２に電磁誘導による電力を伝達することができる。したがって、コアの円柱状部１１に巻線１２を巻いて一次コイル１を形成している場合には、二次コイルモジュール２０は、二次コイル２が一次コイル１の軸心上に位置するように一次コイルモジュール１０に配置される。これにより、蓄電池３０を充電することが可能となる。
【００３４】
図５は、二次コイルモジュール２０により蓄電池３０を充電する際の蓄電池３０の表面温度の変化を示した特性図である。横軸は充電を開始してからの経過時間であり、縦軸は充電を開始した時の温度を基準とした相対変化を示している。本実施形態に係る二次コイルモジュール２０を用いた場合の特性は図５においてＩを付して示され、コア２１を備えない場合の特性がＩＩを付して示される。図５に示されるように、コア２１を形成する際に筒状部２４と底部２５とを一体成型して隙間を有さないように構成することで、充電を開始してからの温度上昇を抑制できることがわかった。
【００３５】
〔その他の実施形態〕
上記実施形態では、巻線２２が筒状部２４を囲むように螺旋状に巻き回されるとして説明したが、巻線２２を渦巻き状に巻き回して構成することも可能である。このような巻線２２を用いて構成した二次コイルモジュール２０が図６に示される。このとき、巻線２２は磁性体からなる保護フィルム３３に載置して、両面テープ付き磁性シート３４でコア２１の底部２５の外側の面に貼り付けると良い。巻線２２は、プリント基板の金属層を渦巻き状にパターンニングして形成しても良い。
【００３６】
このような二次コイルモジュール２０であっても、図７に示すように巻線２２を、一次コイル１の軸心上に位置するように一次コイルモジュール１０に配置することにより、蓄電池３０を充電することが可能である。
【００３７】
また、巻線２２は、螺旋状の巻線２２と渦巻き状の巻線２２とを直列に接続して構成しても良いし、螺旋状の巻線２２と渦巻き状の巻線２２とを並列に接続して構成しても良い。
【００３８】
上記実施形態では、コア２１は、筒状部２４の軸方向他方側の端部が磁性材料からなる蓋部材２３で閉じられているとして説明したが、蓋部材２３で筒状部２４の軸方向他方側の端部を閉じずに構成することも可能である。
【００３９】
上記実施形態では、コア２１は、軟磁性の磁性材料を含む樹脂で構成されるとして説明したが、軟磁性の磁性材料以外の磁性材料で構成することも可能である。
【００４０】
上記実施形態では、収容空間２６には、蓄電池３０の充電を制御する蓄電制御回路４０も収容されるとして説明したが、蓄電制御回路４０は収容空間２６に収容せずに、コア２１の外側に設けることも可能である。
【００４１】
上記実施形態では、蓄電池３０は、金属製のケース３１及び金属製の一対の端子電極３２が設けられるとして説明したが、ケース３１及び端子電極３２の少なくともいずれか一方が金属製であれば良い。この場合でも、漏れ磁束に起因した渦電流によって蓄電池３０が発熱する可能性があるが、本二次コイルモジュール２０によれば発熱を抑制することができる。
【産業上の利用可能性】
【００４２】
本発明は、無接点給電方式にて一次コイルを介して電力が供給される二次コイルモジュールに用いることが可能である。
【符号の説明】
【００４３】
１：一次コイル
２０：二次コイルモジュール
２１：コア
２２：巻線
２３：蓋部材
２４：筒状部
２５：底部
２６：収容空間
３１：ケース
３０：蓄電池
４０：蓄電制御回路
【図１】
0006495730.tif 000002
【図２】
0006495730.tif 000003
【図３】
0006495730.tif 000004
【図４】
0006495730.tif 000005
【図５】
0006495730.tif 000006
【図６】
0006495730.tif 000007
【図７】
0006495730.tif 000008